(57)【要約】【課題】  本発明は、電源ラインの設備のない圃場現場で育苗箱に対して育苗作業を行えるようにした育苗施設を提供することにある。【解決手段】  育苗施設として、機枠５に育苗箱２を搬送するコンベア装置６、育苗箱２に床土を供給する床土供給装置７、供給した床土に種子を播種する播種装置８、播種した種子を覆土する覆土装置９を備えた移動可能な非据え置き式の育苗装置３と、育苗装置３の前記各装置を駆動するための動力源４と、エネルギー源とを持ち運び可能なものとしたもので、動力源がエンジンとしたときはエネルギー源は燃料で、動力源を電動モータとしたときは、エネルギー源はバッテリーである。【選択図】        図１
2008011846.tif 000002
【特許請求の範囲】
【請求項１】
機枠に、育苗箱を搬送するコンベア装置、育苗箱に床土を供給する床土供給装置、供給した床土に種子を播種する播種装置及び播種した種子を覆土する覆土装置、並びに前記コンベア装置、床土供給装置、播種装置及び覆土装置に動力を供給するための入力部を備えた移動可能な育苗装置と、
前記入力部に動力を供給する移動可能な動力源とから成り、
前記駆動源に対するエネルギー源を持ち運び可能なものとした育苗施設。
【請求項２】
前記駆動源を機枠に搭載してある請求項１に記載の育苗施設。
【請求項３】
前記駆動源を機枠に連結及び離脱可能に構成してある請求項１に記載の育苗施設。
【請求項４】
前記入力部と動力源との間の伝動系にクラッチを設けてある請求項１〜３のうちのいずれか一つに記載の育苗施設。
【請求項５】
機枠に、育苗箱を搬送するコンベア装置、育苗箱に床土を供給する床土供給装置、供給した床土に種子を播種する播種装置及び播種した種子を覆土する覆土装置、並びに前記コンベア装置、床土供給装置、播種装置及び覆土装置に動力を供給するための入力部を備えた移動可能な育苗装置と、
前記育苗装置に非固定連結状態で入力部に動力伝達する移動可能な動力源とから成り、  前記駆動源に対するエネルギー源を持ち運び可能なものとした育苗施設。
【請求項６】
機枠に、育苗箱を搬送するコンベア装置、育苗箱に床土を供給する床土供給装置、供給した床土に種子を播種する播種装置及び播種した種子を覆土する覆土装置、並びに前記コンベア装置、床土供給装置、播種装置及び覆土装置に動力を供給するための入力部を備え、前記機枠に動力源を備えていない移動可能な育苗施設。
【請求項７】
前記入力部と動力源とをベルト伝動するものである請求項１〜６のうちのいずれか一つに記載の育苗施設。
【請求項８】
前記動力源がエンジンで、エネルギー源が燃料である請求項１〜７のうちのいずれか一つに記載の育苗施設。
【請求項９】
前記動力源がモータで、エネルギー源がバッテリーである請求項１〜７のうちのいずれか一つに記載の育苗施設。
【請求項１０】
人為駆動用の駆動部材を前記入力部に取付可能に構成してある請求項１〜９のうちのいずれか一つに記載の育苗施設。
【発明の詳細な説明】
【技術分野】
【０００１】
本発明は、機枠に、苗箱を搬送するコンベア装置、育苗箱に床土を供給する床土供給装置、供給した床土に種子を播種する播種装置及び播種した種子を覆土する覆土装置等を備えた育苗装置に対して、育苗装置を駆動源で駆動する育苗施設に関する。
【背景技術】
【０００２】
特許文献１に開示されているように、機枠に、育苗箱を搬送するコンベア装置、育苗箱に床土を供給する床土供給装置、供給した床土に種子を播種する播種装置、播種した種子を覆土する覆土装置を備えた育苗装置に対して、育苗装置を駆動する動力源としてモータを備えた育苗施設が知られている。
【０００３】
【特許文献１】特開２００２−２９１３０６号公報
【発明の開示】
【発明が解決しようとする課題】
【０００４】
特許文献１のものでは、家屋や建屋の電源ラインから電力を供給していたので、電源のない圃場で、育苗施設を使って育苗箱に土入れ・播種・覆土する育苗作業を行うことができず、一箇所の建屋で育苗作業を施した育苗箱を圃場まで搬送しなければならない不便があった。
本発明の目的は、電源ラインの設備のない圃場で育苗箱に対して育苗作業を行えるようにした育苗施設を提供することにある。
【課題を解決するための手段】
【０００５】
［Ｉ］
（構成）
本発明の第１特徴は、育苗施設において次のように構成することにある。
機枠に、育苗箱を搬送するコンベア装置、育苗箱に床土を供給する床土供給装置、供給した床土に種子を播種する播種装置及び播種した種子を覆土する覆土装置、並びにコンベア装置、床土供給装置、播種装置及び覆土装置に動力を供給するための入力部を備えた移動可能な育苗装置と、入力部に動力を供給する移動可能な動力源とから、育苗施設を構成し、駆動源に対するエネルギー源を持ち運び可能なものとする。
【０００６】
（作用）
本発明の第１特徴によると、機枠にコンベア装置、床土供給装置、播種装置及び覆土装置を取り付けた移動可能な育苗装置と、これらを駆動させる動力源とを、圃場などの適所にエネルギー源とともに移動させ、持ち運んだエネルギー源で動力源を原動力として育苗装置を駆動させる。
【０００７】
（発明の効果）
本発明の第１特徴によると、電源ラインのない場所であっても、持ち運んだエネルギー源で育苗装置を駆動することができ、育苗施設を適所に移動させて、その現場で育苗箱に対して土入れ・播種・覆度する育苗作業を行うことが出来るので、取り扱いに注意を払わなければならない育苗作業を施した育苗箱を必要な現場まで運ばなければならないと言うような煩わしさはなく、必要量の育苗作業を各現場で行うことが出来る利点がある。
【０００８】
［ＩＩ］
（構成）
本発明の第２特徴は、本発明の第１特徴の育苗施設において次のように構成することにある。
駆動源を機枠に搭載している。
【０００９】
（作用）
本発明の第２特徴によると、本発明の第１特徴と同様に前項［Ｉ］に記載の「作用」を備えており、これに加えて以下のような「作用」を備えている。
本発明の第２特徴によると、動力源を備えた育苗施設を一つのものとして一度に移動させることができる。
【００１０】
育苗箱に土入れ・播種・覆土する育苗作業を行う場合、静かな状態で作業を行うよりも振動を与えながら作業を行う方が、土が締まり発芽育成に都合がよい。本発明の第２特徴によると、振動を伴う駆動源を、育苗装置を設けた機枠に取り付けることになるので、駆動源によって発生する振動が、育苗装置の土入れ作業や覆土作業において供給した土に対して良好な締まりを与えることになる。
特に、動力源をエンジンとした場合は、育苗装置に対して頗る良好な振動発生装置としての機能を発揮させることができる。
【００１１】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、育苗施設の移動の手間が少なくて済む。
本発明の第２特徴によると、駆動源によって発生する振動が育苗装置の土入れ作業や覆土作業において供給した土に対して良好なしまりを与えることになり、別途、振動発生装置を設けることなく、育苗箱に良好に土の供給を行うことができる利点がある。
【００１２】
［ＩＩＩ］
（構成）
本発明の第３特徴は、本発明の第１特徴の育苗施設において次のように構成することにある。
駆動源を機枠に連結及び離脱可能に構成する。
【００１３】
（作用）
本発明の第３特徴によると、本発明の第１特徴と同様に前項［Ｉ］に記載の「作用」を備えており、これに加えて以下のような「作用」を備えている。
本発明の第３特徴によると、育苗装置と駆動源とを別々に分離した状態で移動させることができる。
育苗施設を作動させるときには、駆動源を育苗装置の機枠に一体的に連結するので、育苗作業時には、第２発明と同じように原動機の振動による土の引き締め作用を発揮することができる。
【００１４】
（発明の効果）
本発明の第３特徴によると、本発明の第１特徴と同様に前項［Ｉ］に記載の「発明の効果」を備えており、これに加えて以下のような「発明の効果」を備えている。
本発明の第３特徴によると、育苗装置と駆動源とを分離できるので、少ない人手でも車両への積み込み作業を容易に行なうことができるに至った。
本発明の第３特徴によると、エンジンなどの駆動源などが手持ちの場合は、それを利用して育苗施設を使うことができるようになり、安価に提供することができるに至った。
本発明の第３特徴によると、本発明の第２特徴と同様、駆動源によって発生する振動が育苗装置の土入れ作業や覆土作業において供給した土に対して良好な締まりを与えることになる。
【００１５】
［ＩＶ］
（構成）
本発明の第４特徴は、本発明の第１〜第３特徴の育苗施設のうちのいずれか一つにおいて次のように構成することにある。
入力部と動力源との間の伝動系にクラッチを設ける。
【００１６】
（作用）
本発明の第４特徴によると、本発明の第１〜第３特徴のうちのいずれか一つと同様に前項［Ｉ］〜［ＩＩＩ］に記載の「作用」を備えており、これに加えて以下のような「作用」を備えている。
本発明の第４特徴によると、育苗装置と動力源との間の伝動系にクラッチを設けているので、駆動源を駆動したまま必要に応じて育苗装置に対する動力を断つことができる。
【００１７】
（発明の効果）
本発明の第４特徴によると、本発明の第１〜第３特徴のうちのいずれか一つと同様に前項［Ｉ］〜［ＩＩＩ］に記載の「発明の効果」を備えており、これに加えて以下のような「発明の効果」を備えている。
通常、床土や覆土や種子は無くなる前に補給するものであるが、本発明の第４特徴によると、床土や覆土や種子が無くなったことを気づいた場合には、クラッチを切って、無くなった床土や覆土や種子を補給することができるので、各装置の空運転をすることなく補給作業を行なえるとともに、エンジンを停止させて、再始動させるよりも効率よく作業を行える利点がある。
【００１８】
［Ｖ］
（構成）
本発明の第５特徴は、育苗施設において次のように構成することにある。
機枠に、育苗箱を搬送するコンベア装置、育苗箱に床土を供給する床土供給装置、供給した床土に種子を播種する播種装置及び播種した種子を覆土する覆土装置、並びに、コンベア装置、床土供給装置、播種装置及び覆土装置に動力を供給するための入力部を備えた移動可能な育苗装置と、育苗装置に非固定連結状態で入力部に動力伝達する移動可能な動力源とから、育苗施設を構成し、駆動源に対するエネルギー源を持ち運び可能なものとする。
【００１９】
（作用）
本発明の第５特徴によると、育苗装置と駆動源とを別々に分離した状態で運搬することができる。
本発明の第５特徴によると、駆動源を育苗装置の機枠には取り付けず、独立して圃場等に設置する構成であるので、動力源を育苗装置からなる育苗施設とセットで販売することはもとより、それぞれ別売することもできるし、利用者が手持ちの動力源を用いることもできる。
【００２０】
（発明の効果）
本発明の第５特徴によると、育苗装置と駆動源とが分離型であるので、少ない人手でも車両への積み込み作業を容易に行なうことができるに至った。
本発明の第５特徴によると、エンジンなどの駆動源などが手持ちの場合は、それを利用して育苗施設を使うことができ、安価に提供することができるに至った。
【００２１】
［ＶＩ］
（構成）
本発明の第６特徴は、育苗施設において次のように構成することにある。
機枠に、育苗箱を搬送するコンベア装置、育苗箱に床土を供給する床土供給装置、供給した床土に種子を播種する播種装置及び播種した種子を覆土する覆土装置、並びにコンベア装置、床土供給装置、播種装置及び覆土装置に動力を供給するための入力部を備え、機枠に動力源を備えずに移動可能に構成する。
【００２２】
（作用）
本発明の第６特徴によると、動力源を備えていない育苗施設であるから、育苗施設の入力部に別途用意した動力源を利用して育苗装置を駆動することとなる。
【００２３】
（発明の効果）
本発明の第６特徴によると、別途用意した駆動源を利用して育苗施設を使うので、手持ちの動力源があれば、育苗施設を安価に入手することができる。
【００２４】
［ＶＩＩ］
（構成）
本発明の第７特徴は、本発明の第１〜第６特徴の育苗施設のうちのいずれか一つにおいて次のように構成することにある。
入力部と動力源とをベルト伝動するものである。
【００２５】
（作用）
本発明の第７特徴によると、本発明の第１〜第６特徴のうちのいずれか一つと同様に前項［Ｉ］〜［ＶＩ］に記載の「作用」を備えており、これに加えて以下のような「作用」を備えている。
本発明の第７特徴によると、動力源から育苗装置への動力伝達を簡易な伝動構造とすることができる。
【００２６】
（発明の効果）
本発明の第７特徴によると、本発明の第１〜第６特徴のうちのいずれか一つと同様に前項［Ｉ］〜［ＶＩ］に記載の「発明の効果」を備えており、これに加えて以下のような「発明の効果」を備えている。
本発明の第７特徴によると、動力源から育苗装置への動力伝達を簡易な伝動構造とすることができたので、育苗装置への動力伝達構造を安価に提供することができるに至った。発動機やガソリンエンジンなどの動力源が手持ちである場合は、その手持ちの動力源と育苗装置とをベルト伝動することができるので、育苗施設をより安価に提供できる利点がある。
【００２７】
［ＶＩＩＩ］
（構成）
本発明の第８特徴は、本発明の第１〜第７特徴の育苗施設のうちのいずれか一つにおいて次のように構成することにある。
動力源がエンジンで、エネルギー源が燃料である。
【００２８】
（作用）
本発明の第８特徴によると、本発明の第１〜第７特徴のうちのいずれか一つと同様に前項［Ｉ］〜［ＶＩＩ］に記載の「作用」を備えており、これに加えて以下のような「作用」を備えている。
本発明の第８特徴によると、動力源を燃料をエネルギー源とするエンジンとしたことによって、育苗施設の設置場所が電源ラインのない圃場であっても育苗作業を行うことができる。
【００２９】
（発明の効果）
本発明の第８特徴によると、本発明の第１〜第７特徴のうちのいずれか一つと同様に前項［Ｉ］〜［ＶＩＩ］に記載の「発明の効果」を備えており、これに加えて以下のような「発明の効果」を備えている。
本発明の第８特徴によると、動力源を燃料をエネルギー源とするエンジンとしたので、電源ラインのない圃場であっても圃場で育苗施設を駆動させて育苗作業をすることができるので、設備投資の大幅な削減が可能である。
【００３０】
［ＩＸ］
（構成）
本発明の第９特徴は、本発明の第１〜第７特徴の育苗施設のうちのいずれか一つにおいて次のように構成することにある。
動力源がモータで、エネルギー源がバッテリーである。
【００３１】
（作用）
本発明の第９特徴によると、本発明の第１〜第７特徴のうちのいずれか一つと同様に前項［Ｉ］〜［ＶＩＩ］に記載の「作用」を備えており、これに加えて以下のような「作用」を備えている。
本発明の第９特徴によると、エネルギー源をバッテリーとしたことによって、育苗施設の設置場所が電源ラインのない圃場であっても育苗作業を行うことができる。
【００３２】
（発明の効果）
本発明の第９特徴によると、本発明の第１〜第７特徴のうちのいずれか一つと同様に前項［Ｉ］〜［ＶＩＩ］に記載の「発明の効果」を備えており、これに加えて以下のような「発明の効果」を備えている。
本発明の第９特徴によると、電源ラインのない圃場にわざわざ電力供給のための電源ラインを敷くことなく充電したバッテリーを持ち運ぶだけで、電源ラインのない多数の圃場で育苗施設を駆動させて育苗作業をすることができるので、設備投資の大幅な削減が可能である。
【００３３】
［Ｘ］
（構成）
本発明の第１０特徴は、本発明の第１〜第９特徴の育苗施設のうちのいずれか一つにおいて次のように構成することにある。
人為駆動用の駆動部材を入力部に取付可能に構成する。
【００３４】
（作用）
本発明の第１０特徴によると、本発明の第１〜第９特徴のうちのいずれか一つと同様に前項［Ｉ］〜［ＩＸ］に記載の「作用」を備えており、これに加えて以下のような「作用」を備えている。
本発明の第１０特徴によると、本発明の第１及び第５特徴の育苗施設において、例えば駆動源（エンジンやモータ）に故障が発生したり、エネルギー源（燃料やバッテリーの電力）が消費されて無くなってしまった場合、入力部に駆動部材（例えば駆動ハンドルや駆動ペダル等）を取り付けることによって、作業者が駆動部材を手や足で回転駆動することにより、育苗装置（コンベア装置、床土供給装置、播種装置及び覆土装置）を駆動することができる。
【００３５】
本発明の第１０特徴によると、本発明の第６特徴の育苗施設において、例えば動力源を別途用意することができない場合、入力部に駆動部材（例えば駆動ハンドルや駆動ペダル等）を取り付けることによって、作業者が駆動ハンドルを手や足で回転駆動することにより、育苗装置（コンベア装置、床土供給装置、播種装置及び覆土装置）を駆動することができる。
【００３６】
（発明の効果）
本発明の第１０特徴によると、本発明の第１〜第９特徴のうちのいずれか一つと同様に前項［Ｉ］〜［ＩＸ］に記載の「発明の効果」を備えており、これに加えて以下のような「発明の効果」を備えている。
本発明の第１０特徴によると、育苗施設において、例えば駆動源（エンジンやモータ）に故障が発生したり、エネルギー源（燃料やバッテリーの電力）が消費されて無くなってしまったり、動力源を別途用意することができない場合においても、これに対応して育苗装置（コンベア装置、床土供給装置、播種装置及び覆土装置）を駆動することができるようになって、育苗施設の作業性を良いものにすることができる。
【発明を実施するための最良の形態】
【００３７】
以下、本発明の実施の形態を図面に基づいて説明する。図１に、本発明にかかる育苗設備１の一例を示している。この育苗設備１は、空の育苗箱２に床土を入れて、播種、覆土する育苗装置３と、育苗装置３を駆動する駆動源としてのエンジン４とで構成している。エンジン４は、２サイクル潤滑油混合ガソリンエンジンである。
【００３８】
育苗装置３は、機枠５に育苗箱２を搬送するコンベア装置６、育苗箱２に床土を供給する床土供給装置７、供給した床土に種子を播種する播種装置８、播種した種子を覆土する覆土装置９を備えている。床土供給装置７と播種装置８との間に、育苗箱２に供給された床土を均すとともに播種するための条溝を形成する回転ブラシ１０を備え、播種装置８の直下のチェーンコンベア１１の配設高さ位置よりも下方位置においてこぼれた種籾を受ける受け皿１２を備えており、播種装置８の搬送下手側に種籾用スクレーパ１３を備えている。
【００３９】
機枠５は、高さ調節可能な４本の脚１４と、脚１４に支持された主フレーム１５等とから構成されている。
エンジン４は、育苗装置３の主フレーム１５等で構成される機枠５と一体に形成された機枠５の一部を構成するフレーム枠１６に搭載されている。
【００４０】
エンジン４の作動及び停止用のメインスイッチ１７を、エンジン４のフレーム枠１６に取り付けている。これとは別にエンジン４の搭載位置とは反対側の育苗装置３の搬送上手側に位置する主フレーム１５の上面にも、エンジン４の作動及び停止を司るサブスイッチ１８を設けている。
【００４１】
エンジン４に減速機１９を付設しており、減速機１９の出力プーリ２０と育苗装置３の入力プーリ２１との間にベルト２２を巻回している。ベルト２２の中間部に、テンション用のプーリ２３を機枠５に枢支したリンク２４の遊端部に取り付けてあり、リンク２４はクラッチレバー２５に固設されている。クラッチレバー２５の握り部２６の付近を、機枠５に取り付けた上下２段の引っ掛け部を形成した係止部２７に係止することができ、下段の引っ掛け部に係止すると動力伝達し、下段の引っ掛け部から外してクラッチレバー２５を上方に移動させるとクラッチが切れるように構成してある。
【００４２】
機枠５は、横断面形状が左右幅よりも上下に長い略四角形で、且つ育苗装置３の全長に亘る長さの左右一対の箱型の主フレーム１５を備え、主フレーム１５を支持する左右の脚１４の間に横フレーム２８を架設している。
【００４３】
床土供給装置７は、ツインホッパー２９を備え、各土入れホッパー２９ａ，２９ｂの下部に床土繰出しロール軸３０を備えた繰出し装置３１を備えている。
播種装置８は、播種ホッパー３２と、播種ホッパー３２の下部に播種繰出しロール軸３３を備えた繰出し装置３４を備えている。
覆土装置９は、覆土ホッパー３５と、覆土ホッパー３５の下部に覆土繰出しロール軸３６を備えた繰出し装置３７を備えている。
【００４４】
次に、育苗装置３の駆動系について説明する。エンジン４の配置側の左右の主フレーム１５に、入力プーリ２１を取ろ付けてある入力軸３８を架設し、左右の主フレーム１５の他端側に従動軸３９を架設している。箱型の一方の主フレーム１５の内部（以下、箱内という）にチェーン伝動装置４０を内臓している。入力軸３８における箱内に突出した部分に駆動スプロケット４１を設け、床土繰出しロール軸３０、播種繰出しロール軸３３及び覆土繰出しロール軸３６に対応する各繰り出しロール軸３０，３３，３６を駆動するための中間軸４２の箱内に突出した部分に、第１及び第２中間スプロケット４３，４４を設けて、隣接する入力軸３８及び中間軸４２間どうしにおける駆動スプロケット４１と第１中間スプロケット４３、第１中間スプロケット４３間及び第２中間スプロケット４４間のそれぞれに亘ってチェーン４５を巻回している。上手側の床土繰出しロール軸３０に対応する中間軸４２には、中間スプロケット４４を一個設けているだけである。
【００４５】
床土繰出しロール軸３０、播種繰出しロール軸３３及び覆土繰出しロール軸３６に設けた各スプロケット４６と、スプロケット４６の直下における各中間軸４２に設けた第３中間スプロケット４７との間に、繰出し用チェーン４８を巻回している。第１，第２，第３中間スプロケット４３，４４，４７は、左右に主フレーム１５に軸架された中間軸４２の箱内に突出した部分に嵌着されている。
【００４６】
入力軸３８と従動軸３９と各中間軸４２に、育苗箱２を搬送するための左右一対のチェーン４９と係合するスプロケット５０を設けている。育苗箱搬送用の一対のチェーン４９及びスプロケット５０は、チェーン４９で育苗箱２の外側部近くの底面に接触して育苗箱２を支持して搬送するように離して配設してある。左右一対の育苗箱搬送用チェーン４９に、チェーン４９間に亘って所定のピッチで育苗箱２を押すための横桟５１を取り付けている。
符号５６は図示しない支持杆を介して左右の主フレーム１５に支持されたガイド杆で、横桟５１により押されて移動させる際に、育苗箱２の荷重を支持しながら、スライドさせるものである。
【００４７】
次に育苗施設１の作用について説明する。育苗施設１を各所に点在している圃場の一角に設けた小屋または隆起地に育苗施設１を設置して、床土供給装置７、播種装置８及び覆土装置９の各ホッパー２９，３２，３５に床土、稲籾、覆土を入れる。この状態でエンジン４を始動し、クラッチレバー２５を操作してクラッチを入れて、育苗装置３を作動させる。チェーンコンベア１１の上に順次用意した空の育苗箱２を並べて、育苗箱２の荷重がガイド杆５６に支持され、ガイド杆５６上をスライドさせながら、回動するチェーンコンベア１１で搬送する。空の育苗箱２の搬送の初めは、床土供給装置７、播種装置８及び覆土装置９の各繰出し装置３１，３４，３７の図示しないシャッターを閉じていて、育苗箱２が床土供給装置７、播種装置８及び覆土装置９の繰出し装置３１，３４，３７の下方に差し掛かったときを見計らってシャッターを開き、対応する土或いは稲籾の供給を開始する。コンベア装置６で育苗箱２が搬送されて、育苗箱２に土入れ、播種、覆土作業が終わって下手側に運び出されると、育苗箱２を人手で取り出して一時適当な箇所に積み重ね、適宜適当な場所で育苗する。
【００４８】
［別実施の態様］
育苗装置３としては、播種装置８の搬送下手側や覆土装置９の搬送下手側に、灌水をする灌水装置を設けてもよい。
【００４９】
上記の例では、エンジン４を育苗装置３の機枠５と一体に形成したフレーム枠１６に搭載してあるが、エンジン４を搭載するフレーム枠１６を育苗装置３の機枠５とは別に形成して、これを育苗装置３の機枠５にボルトナットで着脱自在に連結して形成してもよい。育苗装置３の機枠５に接続するエンジン用のフレーム枠１６を別途作製しないで、適当な手持ちのエンジンを育苗装置３の入力プーリ２１とベルト伝動するようにしてもよい。
【００５０】
上記の例では、播種装置８を単一のホッパー３２と繰出し装置３４とを設けたものとして採用したが、図５に示すように、ホッパー５３の下方に繰出し装置５４を２つ設けた構成としてもよい。このようにすると播種精度を向上させることができて、発芽率が高くなり、田植時に欠株の発生率が少なくなる。
【００５１】
図６及び図７は、育苗装置３の機枠５とは別の機枠５５にエンジン４を搭載し、機枠５５を育苗装置３の機枠５にボルトナットで連結して、育苗装置３の機枠５とエンジン４の搭載用の機枠５５とを一体化して、育苗施設１とする。このようにすれば、エンジン４を持っている農家の方は、そのエンジン４の取り付けに合った機枠５５だけを別注すればよい。
図７に示すように、機枠５５を取り付けずにエンジン４を直に地面に設置して、育苗施設１として、機枠５に、育苗箱２を搬送するコンベア装置６、育苗箱２に床土を供給する床土供給装置７、供給した床土に種子を播種する播種装置８及び播種した種子を覆土する覆土装置９、並びにコンベア装置６、床土供給装置７、播種装置８及び覆土装置９に動力を供給するための入力部２１を備えて、機枠５に動力源４を備えていない移動可能なものを用意し、育苗装置３の入力部２１となる入力プーリと、エンジン４の出力プーリ２０にベルト２２を巻回するようにしてもよい。
しかし、エンジン４に機枠５５に搭載して、機枠５５を育苗施設３の機枠５に連結した方が、エンジン４の駆動中の振動が育苗装置３に伝達されて、育苗箱２に供給された土が搬送中に締まって都合がよい。
【００５２】
上記の例では、動力源としてガソリンをエネルギー源とするエンジン４を採用したが、動力源を、エンジンに代えて電動モータを採用し、エネルギー源としてバッテリーを採用するようにしてもよい。
【００５３】
以上の例に代えて、以下のように構成してもよい。
図１〜図５の育苗施設１において図８に示すように、図６及び図７の育苗施設１において図９に示すように、機枠５に動力源４を備えていない育苗施設１において図１０に示すように、入力プーリ２１が取り付けられる入力軸３８の端部３８ａを、機枠５から横外方に突出させ、入力軸３８の端部３８ａに駆動ハンドル５６（駆動部材に相当）を取付可能に構成してもよい。この場合、図８及び図９の育苗施設１においては、ベルト２２を入力プーリ２１から取り外す。
これにより、作業者は駆動ハンドル５６を手で持って回転駆動することによって、入力軸３８及び入力プーリ２１を介してコンベア装置６、床土供給装置７、播種装置８及び覆土装置９を駆動することができる。
【００５４】
この場合、駆動ハンドル５６に代えて、駆動ペダル（図示せず）（駆動部材に相当）を入力軸３８の端部３８ａに取付可能に構成して、作業者が駆動ペダルを足で踏みながら回転駆動するように構成してもよい。
例えば入力軸３８の端部３８ａに別の入力プーリ（入力スプロケット）（図示せず）（駆動部材に相当）を取り付け、少し離れた位置に椅子及び駆動ペダル（図示せず）を配置して、入力軸３８の別の入力プーリ（入力スプロケット）と駆動ペダルとに亘って、伝動ベルト（伝動チェーン）（図示せず）を巻回してもよい。これにより、椅子に着座した作業者が自転車に乗る要領により足で駆動ペダルを回転駆動することによって、入力軸３８及び入力プーリ２１を介してコンベア装置６、床土供給装置７、播種装置８及び覆土装置９を駆動する。
【図面の簡単な説明】
【００５５】
【図１】育苗施設の側面図
【図２】育苗施設の駆動系を示す側面図
【図３】育苗施設の正面図
【図４】育苗施設の駆動系を示す平面図
【図５】播種装置の別実施の態様を示す側面図
【図６】別実施の態様においてエンジンの機枠の取付構造を示す部分側面図
【図７】別実施の態様においてエンジンを機枠から外した状態を示す部分側面図
【図８】別実施の態様において育苗施設の駆動系及び駆動ハンドルを示す平面図
【図９】別実施の態様においてエンジンを機枠から外した状態及び駆動ハンドルを示す部分側面図
【図１０】別実施の態様において機枠及び駆動ハンドルを示す部分側面図
【符号の説明】
【００５６】
２      育苗箱
３      育苗施設
４      駆動源
５      機枠
６      コンベア装置
７      床土供給装置
８      播種装置
９      覆土装置
２１    入力部
５６    駆動部材
【図１】
2008011846.tif 000003
【図２】
2008011846.tif 000004
【図３】
2008011846.tif 000005
【図４】
2008011846.tif 000006
【図５】
2008011846.tif 000007
【図６】
2008011846.tif 000008
【図７】
2008011846.tif 000009
【図８】
2008011846.tif 000010
【図９】
2008011846.tif 000011
【図１０】
2008011846.tif 000012